(57)【要約】【課題】安価であって、耐久性に優れ、しかも庭等の景観に合わせ易い屋外用湯水供給手段を提供する。【解決手段】本発明による屋外用混合水栓ボックス１は、扉２１付き前面開口部２Ａを有しかつ地面に立てられる垂直箱形ケーシング２と、下端部が給湯配管Ｐ１および給水配管Ｐ２それぞれに接続されかつケーシング２内に並列状に配される給湯用立上り管３Ａおよび給水用立上り管３Ｂと、両立上り管３Ａ，３Ｂの上端部に接続されかつケーシング２内の上部に配される混合水栓４とを備えている。【選択図】  図１
2004324095.tif 000002
【特許請求の範囲】
【請求項１】
扉（２１）付き前面開口部（２Ａ）を有しかつ地面に立てられる垂直箱形ケーシング（２）と、下端部が給湯配管（Ｐ１）および給水配管（Ｐ２）それぞれに接続されかつケーシング（２）内に並列状に配される給湯用立上り管（３Ａ）および給水用立上り管（３Ｂ）と、両立上り管（３Ａ）（３Ｂ）の上端部に接続されかつケーシング（２）内の上部に配される混合水栓（４）とを備えている、屋外用混合水栓ボックス。
【請求項２】
ケーシング（２）内の上部に水平取付板（２８）が前面開口部（２Ａ）を通じて前方に引き出し可能に配され、この取付板（２８）に混合水栓（４）が固定されている、請求項１記載の屋外用混合水栓ボックス。
【請求項３】
混合水栓（４）が、吐水口（４３）と、先端に吐水具（４５）が接続されたホース（４４）と、吐水口（４３）と吐水具（４５）付きホース（４４）との間で吐水を切り換えるための切替弁（４７）とを備え、ケーシング（２）内に、吐水具（４５）を取り外し自在に保持し得る保持具（５）が設けられている、請求項１または２記載の屋外用混合水栓ボックス。
【発明の詳細な説明】
【０００１】
【発明の属する技術分野】
本発明は、庭、公園等の屋外に設置される湯水供給手段に関する。
【０００２】
【従来の技術】
例えば、犬等のペットや自動車を洗う場合、屋外に設置された水栓柱や水栓ボックスから取り出した水を使うのが一般的である。しかし、寒い時期に、冷たい水でペットを洗うのは好ましくなく、自動車を水で洗うのも手が冷たかった。
【０００３】
そこで、このような問題に鑑み、本出願人は、屋外でも簡便に湯を使用できる混合水栓柱を先に提案した。この混合水栓柱は、下端が給水管に接続される給水用立上り管と、下端が給湯管に接続される給湯用立上り管と、両立上り管を並列状に内蔵する中空柱状ケーシングと、ケーシングの上端部に設けられかつ両立上り管の上端が接続される混合水栓とを備えたものである（下記特許文献１参照）。
【０００４】
【特許文献１】
特開２００２−３４８９２０号公報（特許請求の範囲、図面）
【０００５】
【発明が解決しようとする課題】
しかしながら、上述した混合水栓柱の場合、混合水栓のうち少なくともハンドルや吐水口が外に露出しているため、これらを耐候性材料でつくる必要があり、その分だけコストが嵩む。また、混合水栓の上記パーツを耐候性材料で形成したとしても、長年の使用により、パーツの劣化が進み、交換を余儀なくされる。さらに、上記の混合水栓柱では、少なくとも外部に露出している混合水栓が金属製であるため、庭等の景観に合わない場合がある。
【０００６】
本発明の目的は、安価であって、耐久性に優れ、しかも庭等の景観に合わせ易い屋外用湯水供給手段を提供することにある。
【０００７】
【課題を解決するための手段および発明の効果】
上記の目的を達成する手段として、本発明者は、次のような屋外用混合水栓ボックスを考案した。即ち、本発明による屋外用混合水栓ボックスは、扉付き前面開口部を有しかつ地面に立てられる垂直箱形ケーシングと、下端部が給湯配管および給水配管それぞれに接続されかつケーシング内に並列状に配される給湯用立上り管および給水用立上り管と、両立上り管の上端部に接続されかつケーシング内の上部に配される混合水栓とを備えたものである。
【０００８】
上記の混合水栓ボックスによれば、ケーシングの扉を開け、前面開口部を通じて、混合水栓から湯または水を吐出させることができる。したがって、上記混合水栓ボックスによれば、屋外でも湯を簡便に使用することができる。また、混合水栓は、ケーシング内に配されていて風雨に晒されないので、耐候性材料を用いる必要がなく、コストを抑えることができる上、優れた耐久性が得られる。しかも、使用しない場合には、扉を閉めておくことにより、ケーシングのみが人目に触れることになるため、ケーシングの材料を適宜選択することにより、庭等の景観に容易に合わせられる。
【０００９】
本発明による屋外用混合水栓ボックスにおいて、ケーシング内の上部に水平取付板が前面開口部を通じて前方に引き出し可能に配され、この取付板に混合水栓が固定されているのが好ましい。
【００１０】
上記構成によれば、取付板をケーシングの前面開口部を通じて前方に引き出すことにより、取付板に固定された混合水栓からの吐水点を前方に移動させることができるので、使い勝手がよく、吐出された湯または水がケーシング内に溜まるおそれがない。また、混合水栓を予め取付板に固定しておいてから、取付板をケーシング内に配することにより、組立を容易に行い得る。
【００１１】
本発明による屋外用混合水栓ボックスにおいて、混合水栓が、吐水口と、先端に吐水具が接続されたホースと、吐水口と吐水具付きホースとの間で吐水を切り換えるための切替弁とを備え、ケーシング内に、吐水具を取り外し自在に保持し得る保持具が設けられているのが好ましい。
【００１２】
上記構成によれば、例えば、通常の吐水には吐水口を使用し、散水や洗車等には専ら吐水具付きホースを使用することができるので、使い勝手がよい。また、吐水具付きホースも、吐水具が保持具に保持された状態でケーシング内に収容しておくことができるので、劣化が少なく、長期間使用することができる上、庭等の景観を損なうおそれがない。
【００１３】
ケーシングは、その下部が地中に埋設されることにより地面に固定状に立てられる場合と、ケーシング下端に基台を設けることにより地面に移動可能に立てられる場合とがある。前者の場合、給湯用立上り管および給水用立上り管の下端部は、通常、地中に埋設された給湯配管および給水配管に接続される。後者の場合、両立上り管の下端部は、地上に配設されたホース等の給湯配管および給水配管に接続される。
【００１４】
【発明の実施の形態】
図１〜４は、本発明の実施形態を示すものである。図示の屋外用混合水栓ボックス（１）は、扉（２１）付き前面開口部（２Ａ）を有しかつ地面に立てられる垂直箱形ケーシング（２）と、下端部が給湯配管（Ｐ１）および給水配管（Ｐ２）それぞれに接続されかつケーシング（２）内に並列状に配される給湯用立上り管（３Ａ）および給水用立上り管（３Ｂ）と、両立上り管（３Ａ）（３Ｂ）の上端部に接続されかつケーシング（２）内の上部に配される混合水栓（４）とを備えている。
【００１５】
ケーシング（２）は、その下部が地中に埋設されることにより、地面に垂直に立てられている。前面開口部（２Ａ）は、ケーシング（２）の前面全体のうち、地上に位置する上側部分に設けられている。このケーシング（２）は、それぞれ耐水性に優れた木質板により形成された左右側壁（２２）、後壁（２３）、頂壁（２４）、底壁（２５）および下部前壁（２６）を備えている。扉（２１）も前記と同じ木質板によって形成されている。扉（２１）は、複数の蝶番によって、ケーシング（２）の左側壁（２２）前縁部に、回転自在に取り付けられている。なお、図示は省略したが、ケーシング（２）には、通常、扉（２１）が閉じた状態を維持するためのロック手段が備えられている。
【００１６】
ケーシング（２）には、その左右側壁（２２）の下部および後壁（２３）下部の左右両側部分に、配管導入用孔（２２１）（２３１）があけられている。そして、ケーシング（２）内に、左側壁（２２）の孔（２２１）を通じて、地中埋設給湯配管（Ｐ１）の先端部が導入され、右側壁（２２）の孔（２２１）を通じて、地中埋設給水配管（Ｐ２）の先端部が導入されている。後壁（２３）下部にあけられた２つの孔（２３１）は、キャップ等の閉鎖部材（図示略）によって閉鎖されている。なお、給湯配管（Ｐ１）および給水配管（Ｐ２）がケーシング（２）の後方からケーシング（２）に向かって配設される場合には、これらの先端部を後壁（２３）下部の孔（２３１）を通じてケーシング（２）内に導入し、左右側壁（２２）の孔（２２１）を閉鎖部材で閉鎖すればよい。
【００１７】
ケーシング（２）内における地面よりもやや高い位置に、水平仕切板（２７）が固定されている。仕切板（２７）には、左右２つの貫通孔（２７１）が開けられている。
【００１８】
ケーシング（２）内の上部には、水平取付板（２８）が、前面開口部（２Ａ）を通じて前方に引き出し可能に配されている。取付板（２８）には、左右２つの貫通孔（図示略）が開けられている。ケーシング（２）の左右各側壁（２２）内面の上部に、上下２つの支持棒（２９）が、所定間隔をおいて固定されている。取付板（２８）は、その左右各縁部が、左右各側壁（２２）の上下支持棒（２９）どうしの間に、スライド自在に嵌め入れられている。なお、図示は省略したが、取付板（２８）が上下支持棒（２９）どうしの間から前方に抜け落ちないように、取付板（２８）および支持棒（２９）に、所定の相対位置において互いに係合するストッパが設けられる。
【００１９】
給湯用立上り管（３Ａ）および給水用立上り管（３Ｂ）は、それぞれ上管（３１）および下管（３２）よりなる。上管（３１）は軟質合成樹脂管等の可撓管よりなり、下管（３２）は金属管等の剛性管よりなる。上管（３１）は、取付板（２８）の前方への引き出しを許容しうる長さを有している。下管（３２）の下端部は、エルボ（３３）を介して、給湯配管（Ｐ１）および給水配管（Ｐ２）の各先端部に接続されている。下管（３２）の上端部は、仕切板（２７）の貫通孔（２７１）に通されかつ同板（２７）にナット（３５１）で固定されたニップル（３５）の下端部に、ソケット（３２１）によって接続されている。ニップル（３５）の上端部には、上管（３１）の下端部が、ナット（３１１）によって接続されてる。なお、下管（３２）は、上管（３１）と同様の可撓管によって構成されていてもよい。
【００２０】
混合水栓（４）は、横長の水栓本体（４１）を備えている。水栓本体（４１）の左端部および右端部に、それぞれ後面に開口した湯入口（４１１Ａ）および水入口（４１１Ｂ）が形成されている。これらの入口（４１１Ａ）（４１１Ｂ）には、水栓取付脚（４２）の上端部が接続されている。水栓取付脚（４２）の下端部は、取付板（２８）の貫通孔に通され、同板（２８）にナット（４２１）によって固定されている。水栓取付脚（４２）の下端部には、上管（３１）の上端部が、ナット（３１２）によって接続されている。
【００２１】
また、水栓本体（４１）は、その長さ中央部に、下面に開口した第１混合湯水出口（４１２Ａ）と、後面に開口した第２混合湯水出口（４１２Ｂ）とを有している。第１混合湯水出口（４１２Ａ）には、略Ｌ字形の吐水口（４３）の基端部が、回転自在に接続されている。吐水口（４３）は、取付板（２８）の中心部から後縁部にかけて形成された方形切欠部（２８１）に通されている。第２混合湯水出口（４１２Ｂ）には、ホース（４４）の基端部が接続されている。ホース（４４）の先端部には、シャワーヘッド（４５）が接続されている。なお、シャワーヘッド（４５）に代えて、散水スプレー等の他の吐水具をホース（４４）の先端部に接続してもよい。ケーシング（２）の左側壁（２２）内面における仕切板（２７）と取付板（２８）との間の高さ位置に、シャワーヘッド（４５）を取り外し自在に保持しうるシャワーフック（５）が取り付けられている。
【００２２】
混合水栓（４）は、湯側開閉弁（４６Ａ）および水側開閉弁（４６Ｂ）と、吐水口（４３）とシャワーヘッド（４５）付きホース（４４）との間で吐水を切り換えるための切替弁（４７）とを備えている。両開閉弁（４６Ａ）（４６Ｂ）のハンドル（４６１）が、水栓本体（４１）の左右端部上面に備えられ、切替弁（４７）のレバー（４７１）が、水栓本体（４１）の長さ中央部前面に備えられている。
【００２３】
上記の混合水栓ボックス（１）は、次のようにして使用することができる。即ち、例えば、バケツに湯または水を入れる場合、まず、ケーシング（２）の扉（２１）を開けて、取付板（２８）を前方に引き出す。これにより、混合水栓（４）の吐水口（４３）の先端部が、ケーシング（２）よりも前方に移動させられる。そして、ケーシング（２）の前方の地面にバケツを置き、切替弁（４７）のレバー（４７１）を吐水口（４３）側に回しておいてから、所望の開閉弁（４６Ａ）（４６Ｂ）のハンドル（４６１）を開方向に回し、吐水口（４３）から湯または水を吐出させればよい。
【００２４】
また、例えば、湯または水を使って犬等のペットや自動車を洗う場合、ケーシング（２）の扉（２１）を開けて、シャワーヘッド（４５）をシャワーフック（５）から取り外し、これをホース（４４）とともに前方に引き出す。そして、切替弁（４７）のレバー（４７１）をホース（４４）側に回しておいてから、所望の開閉弁（４６Ａ）（４６Ｂ）のハンドル（４６１）を開方向に回し、シャワーヘッド（４５）から湯または水を吐出させればよい。
【００２５】
上記の混合水栓ボックス（１）を使用しない場合には、ケーシング（２）の扉（２１）を閉じておく。こうすると、外観上、木質板製のケーシング（２）のみが人目に触れるため、例えば多くの植裁が施された庭に混合水栓ボックス（１）が設置されているような場合でも、その景観を損なうおそれがない。
【００２６】
なお、上記の実施形態はあくまでも例示にすぎず、特許請求の範囲に記載された本発明の要旨を逸脱しない範囲内で適宜に変更を加えた上で本発明を実施することも勿論可能である。
【図面の簡単な説明】
【図１】本発明による屋外用混合水栓ボックスの全体斜視図である。
【図２】図１の混合水栓ボックスの上部を拡大して示す垂直縦断面図である。
【図３】図１の混合水栓ボックスの下部を拡大して示す垂直縦断面図である。
【図４】図１の混合水栓ボックスの使用状態を示す部分拡大斜視図である。
【符号の説明】
（１）：屋外用混合水栓ボックス
（２）：ケーシング
（２Ａ）：前面開口部
（２１）：扉
（２８）：取付板
（３Ａ）：給湯用立上り管
（３Ｂ）：給水用立上り管
（４）：混合水栓
（４３）：吐水口
（４４）：ホース
（４５）：シャワーヘッド（吐水具）
（４７）：切替弁
（５）：シャワーフック（保持具）
（Ｐ１）：給湯配管
（Ｐ２）：給水配管
【図１】
2004324095.tif 000003
【図２】
2004324095.tif 000004
【図３】
2004324095.tif 000005
【図４】
2004324095.tif 000006